(57)【特許請求の範囲】
【請求項１】
上方を開放し底面を地表に沿って滑動可能なように平底とした受け皿ベース（1）の上面に補強を兼ねて幾つかに分割する隔壁（２）を形成してその内部空間に水、砂又は土を盛って受け皿べース（1）の安定化を図るようにすると共に、この受け皿べース（1）内には一方から他方へ貫通する貫通路（3）を構成し、この貫通路（3）の両側に第1側方ねじ筒（4）及び第2側方ねじ筒（5）を形成し、前記貫通路（3）の中央部分から上方へ開放する上方ねじ筒（6）を形成し、この上方ねじ筒（6）に結合する中空立上り管（8）の上端に蛇口（12）を設け、かつ前記貫通路（3）の第1側方ねじ筒（4）を連結管路（15）を介して給水源（16）に接続するようにし、前記第2側方ねじ筒（5）にはキャップ（17）を被せて閉塞するか、他の用途に供すべく連結具（14）を連結しうるようにしてなる移動式立上り水栓。
【請求項２】
前記入れ子式立上り管（8）を入れ子式として、外管（9）に内管（10）を伸縮可能に嵌合し、前記外管（9）の頂部に形成したねじ部（18）に締付環（19）を嵌装し、この締付環（19）の内部に形成したシール環（20）及びそのシール環（20）を押圧する押圧環（21）で押圧することで外管（9）に対する内管（10）の長さの調節を可能としてなる請求項1に記載の移動式立上り水栓。
【発明の詳細な説明】
【0001】
この発明は、ホームガーデン、競技場、工事現場、キャンプ場等の広い分野の施設において、水の供給を簡便に行えるようにしてなる移動式立上り水栓の提案に係る。
【0002】
【従来の技術】
従来は、上記したような施設では、水の供給を受けるために各々の場所において、供給装置を個々に設備する必要があり、霊園、墓地などで彼岸会の際又は祭礼の時期における神社等またキャンプ場などのシーズン中の混雑の解消と節水に関しても、大きな問題となっている。
【0003】
【発明が解決しようとする課題】
ここにおいてこの発明は、比較的簡単な構成によって、任意に必要とする水の供給を受けられるようにした移動式の水栓を提供するものである。
【0004】
【課題を解決するための手段】
すなわちこの発明の請求項1に記載の移動式立上り水栓においては、上方を開放し底面を地表に沿って滑動可能なように平底とした受け皿ベース（1）の上面に補強を兼ねた幾つかに分割する隔壁（2）を形成してその内部空間に水、砂又は土を盛って受け皿ベース（1）の安定化を図るようにすると共に、この受け皿ベース（1）内には一方から他方へ貫通する貫通路（3）を構成し、この貫通路（3）の両側に第1側方ねじ筒（4）及び第2側方ねじ筒（5）を形成し、前記貫通路（3）の中央部分から上方へ開放する上方ねじ筒（6）を形成し、この上方ねじ筒（6）に結合する中空立上り管（8）の上端に蛇口（12）を設け、かつ前記貫通路（3）の第1側方ねじ筒（4）を連結管路（15）を貸して給水源（16）に接続するようにし、前期第2側方ねじ筒（5）にはキャップ（17）を被せて閉塞するか、他の用途に供すべく連結具（14）を連結しうるようにしてなる。
【0005】
この発明の請求項2に記載の移動式立上り水栓においては、請求項1に記載の水栓において、前記中空立上り管（８）を入れ子式として、外管（９）に内管（10）を伸縮可能に嵌合し、前記外管（9）の頂部に形成したねじ部（18）に締付環（19）を嵌装し、この締付環（19）の内部に形成したシール環（20）及びそのシール環（20）を押圧する押圧環（21）で押圧することで外管（9）に対する内管（10）の長さの調節を可能としてなる。
【0006】
【発明の実施の形態】
図1及び図2において、1は上方を開放した受け皿型ベースであって、その底面は地表に沿って活動可能なように平底としてある。前記受け皿型ベース1の上面には補強を兼ねて幾つかに分割する隔壁2が形成され、また前記受け皿型ベース1内には一方から他方に貫通する貫通路3が構成されており、この貫通路3の両側には第1側方ねじ筒4と第2側方ねじ筒5が突設されている。
【0007】
前記貫通路3の中央部分には上方へ開放する上方ねじ筒6を設け、この上方ねじ筒6に形成されるねじ部7には中空立上り管8の下端をねじ止めする。この中空立上り管8は入れ子式とし、外管9とその内側の内管10とによって構成されており、この内管10の頭部にはエルボ11を介して蛇口12が形成されている。
【0008】
前記蛇口12の開口端には雄ねじ部13が形成されており、この雄ねじ部13は他の用途に使用するための接続部として、タイマー、肥料混入部、逆流防止弁等の接続用に使用可能である。
【0009】
前記貫通路3の第1側方ねじ筒4には連結具14を結合し、この連結部14はホース等の連結管15を介して給水源16に連結する。また第2側方ねじ筒5はキャップ17（図4）で塞いでおく。
【0010】
前記給水源16として水道の蛇口21を採用できることは勿論であり、また前記第2側方ねじ筒5にはキャップ17を被せる代わりに、第2側方ねじ筒5に適宜連結部材を介して他の用途例えば、前記第1側方ねじ筒4におけると同様の手段を利用することができる。すなわち、この発明の水栓を数台互いに連結して使用すれば多数の人の利用に供することができ、それだけ設備等の混雑を解消するのに便利となる。
【００１１】
前記入れ子式の中空立上り管8に関しては、図3に示すように外管9の頂部に形成したねじ部18に締付環19を嵌装し、その締付環19の内部に形成したシール環20及びそのシール環20を押圧する押圧環21で押圧することによって、外管9に対する内管10の長さ調節を可能にする。
【0012】
上記構成からなるこの発明の水栓の使用状態の一例を図5に示している。これらは家庭園芸で水道の蛇口からなる給水源16から離れている状況において、この発明の水栓をかなり離れた位置で使用するものである。
【0013】
前記受け皿ベース1は平底であるので、引っ張って移動するのが容易であり、かつ使用状態においては、この受け皿ベース1上に水を張ったり、砂や土を入れることで、重量化して安定させることもできる。
【0013】
この発明の各部に金属部分を一切使用せず、工業用合成樹脂で構成することによって、錆びず、腐食しない形態で使用することも可能である。
【0014】
この発明の用途としては、各種用途例えばベランダ、ホームガーデン、家庭園芸、花壇、家庭菜園、郊外レストラン、競技場（テニスコート）、グリーンベルト、工事現場、キャンプ場、海水浴、屋外展示場、仮設住宅等の極めて広い範囲の施設での使用が可能である。
【0015】
【発明の効果】
この発明によれば、定置された水道の蛇口以外で自由な水栓を、しかも使いやすい状態で利用できるという効果が得られるものであって、特に中空立上り管8の長さを調節できることで、使用に当たって便利であり、また前記受け皿型べース1は地上をそり状に引っ張って移動できると共に、使用に当たってこのベース1上に水を張り又は砂や土を盛って重量を大とし、安定性を増大することができ、更に使用後にはこれら水、砂、土を取り払って軽量にすることができるものである。
【図面の簡単な説明】
【図1】この発明の水栓の一部切り欠いて示す斜視図である。
【図2】この発明の水栓の中空立上り管が伸張した状態の一部省略して示す斜視図である。
【図3】中空立上り管の要部を示す拡大断面図である。
【図4】第2側方ねじ筒を閉塞すべきキャップの拡大斜視図である。
【図5】  この発明の水栓の使用状態の一部を示す説明図である。
【符号の説明】
１    受け皿型べース
３    貫通路
４    第１側方ねじ筒
５    第２側方ねじ筒
６    上方ねじ筒
８    中空立上り管
９    外管
１０  内管
１２  蛇口
１３  雄ねじ部
１５  連結管路
１６  給水源
１７  キャップ
２１  水道の蛇口
【図１】
0004051586.tif 000002
【図２】
0004051586.tif 000003
【図３】
0004051586.tif 000004
【図４】
0004051586.tif 000005
【図５】
0004051586.tif 000006